(57)【要約】      （修正有）【課題】ハンディタイプの洗浄器具であって、洗浄効果が高く、また、洗浄作業性にも優れ、しかも、使い勝手に優れると共に実用性の高い洗浄器具を提案する。【解決手段】柄本体１１と、柄本体１１の先端に設けられたヘッド部１２と、ヘッド部１２の先端に設けられた１又は複数のノズル部１３と、ヘッド部１２に支持部材を介して支持された芯部材および払拭部材１７を備え、柄本体１１の後端に水供給管２２を装着した状態で、水供給管２２から供給される水Ｗ１をノズル部１３のノズル孔１３ａから洗浄面Ｇに向け圧力水Ｗ２として噴出させ、ノズル部１３近傍の払拭部材１７により洗浄面Ｇの汚れを払拭する。【選択図】図４
0003158914.tif 000002
【実用新案登録請求の範囲】
【請求項１】
柄本体と、柄本体の先端に設けられたヘッド部と、ヘッド部の先端に設けられた１又は複数のノズル部と、ヘッド部に支持された払拭体とを備え、柄本体の後端に水供給管を装着した状態で、水供給管から供給される水をノズル部のノズル孔から洗浄面に向け圧力水として噴出させ、同時にノズル部近傍の払拭体により洗浄面の汚れを払拭する構成とされていることを特徴とする洗浄器具。
【請求項２】
払拭体が、芯部材と、芯部材に装着された袋状またはシート状の払拭部材とから構成されていることを特徴とする、請求項１記載の洗浄器具。
【請求項３】
柄本体の先端部が湾曲部とされると共に、同湾曲部の先端にヘッド部が首振り可能に連結されていることを特徴とする、請求項１または請求項２記載の洗浄器具。
【請求項４】
払拭体が洗浄面の形状に追従して屈曲可能であることを特徴とする、請求項１ないし請求項３のいずれか一項に記載の洗浄器具。
【請求項５】
水供給管が可撓性を備えるとともに、水道管に直結して使用することを特徴とする、請求項１ないし請求項４のいずれか一項に記載の洗浄器具。
【考案の詳細な説明】
【技術分野】
【０００１】
本考案は、ハンディタイプの洗浄器具であって、特に少量の水で、車両、屋外器具、ガラス窓、建物壁面等を効率よく洗浄できる洗浄器具に関するものである。
【背景技術】
【０００２】
従来、例えば自動車を洗車するには、一般には片方の手でホースの先から自動車のボディ外面やガラス外面に水を撒きながら、もう片方の手にもったスポンジやモップ等で表面の汚れを落とし、最後に水拭きするようにしている。同様に、建物のガラス窓を外から清掃するには、片方の手でホースの先からガラス外面に水を撒きながら、もう片方の手にもったぞうきんやスポンジ等で表面の汚れを落とすようにしている。
【０００３】
しかしながら、上記通常一般の洗浄方法は、水道水を多く使う割には洗浄効果が高いとは言えず、また、作業効率も悪いものであった。さらに、最初に全体的に水を撒いてからその後に汚れを落とそうとすると、汚れの落ちにくい部分が残り、もう一度水を撒いて汚れを再度落とすことになるなど、この場合も作業効率を悪くする問題があった。さらに、水道水を多く用いるので水道代が嵩むという問題もあった。
【０００４】
従来より、水道用ゴムホースの先端にブラシ、モップ、たわし、 金たわし、スホンジ、雑巾等を取り付けた洗浄具の提案（特許文献１）がなされている。
【先行技術文献】
【特許文献】
【０００５】
【特許文献１】実開平５−２８４７２号公報
【考案の概要】
【考案が解決しようとする課題】
【０００６】
しかしながら、特許文献１の洗浄具は、水道用ゴムホースの先端に単にブラシ等を取り付けて手前で洗浄作業するに過ぎないもので、使用者の立場から見れば、より広範囲にかつ効率よく洗浄作業が行えること、綺麗に汚れを払拭できること、使い勝手に優れること、それらの結果として実用性に優れるものであることが望ましい。
【０００７】
本考案は上記課題に鑑みてなされたもので、ハンディタイプの洗浄器具であって、洗浄効果が高く、また、洗浄作業性にも優れ、しかも、使い勝手に優れると共に実用性の高い洗浄器具を提案することを目的とする。
【課題を解決するための手段】
【０００８】
上記課題を解決するために、本考案に係る洗浄器具は、
柄本体と、柄本体の先端に設けられたヘッド部と、ヘッド部の先端に設けられた１又は複数のノズル部と、ヘッド部に支持された払拭体とを備え、柄本体の後端に水供給管を装着した状態で、水供給管から供給される水をノズル部のノズル孔から洗浄面に向け圧力水として噴出させ、同時にノズル部近傍の払拭体により洗浄面の汚れを払拭する構成としたことを主要な特徴とする。
【０００９】
本考案に係る洗浄器具は、払拭体が、芯部材と、芯部材に装着された袋状またはシート状の払拭部材とから構成されていることを第２の特徴とする。
【００１０】
本考案に係る洗浄器具は、柄本体の先端部が湾曲部とされると共に、同湾曲部の先端にヘッド部が首振り可能に連結されていることを第３の特徴とする。
【００１１】
本考案に係る洗浄器具は、払拭体が洗浄面の形状に追従して屈曲可能であることを第４の特徴とする。
【００１２】
本考案に係る洗浄器具は、水供給管が可撓性を備えるとともに、水道管に直結して使用することを第５の特徴とする。
【考案の効果】
【００１３】
以上説明したように、本考案に係る洗浄器具は、柄本体と、柄本体の先端に設けられたヘッド部と、ヘッド部の先端に設けられた１又は複数のノズル部と、ヘッド部に支持された払拭体とを備え、柄本体の後端に水供給管を装着した状態で、水供給管から供給される水をノズル部のノズル孔から洗浄面に向け圧力水として噴出させ、同時にノズル部近傍の払拭体により洗浄面の汚れを払拭する構成としたから、柄本体を片手にもち、水供給管から供給される水をノズル孔から圧力水として洗浄面に噴出させて洗浄し、かつノズル部近傍の払拭体により洗浄後の汚れを直ちに払拭することができる。これによって、車両、ガラス窓、建物壁面等の汚れを効率よくかつ綺麗に洗浄し除去でき、その結果、洗浄効果が高く、また、洗浄作業性にも優れるという効果を奏する。
【００１４】
さらに、本考案に係る洗浄器具は、使い勝手に優れかつ実用性にも優れるという効果を奏する。
【図面の簡単な説明】
【００１５】
【図１】本考案の第１の実施形態を示すもので、洗浄器具を示す全体正面図、
【図２】図１に示す洗浄器具の側面図、
【図３】図２に示す洗浄器具の要部を示す側面図、
【図４】図２に示す洗浄器具の使用状況を示す側面図、
【図５】図２に示す洗浄器具の他の使用状況を示す側面図、
【図６】本考案の第２の実施形態を示すもので、洗浄器具の側面図である。
【考案を実施するための最良の形態】
【００１６】
本考案を実施するための最良の実施形態を図面を参照して説明する。図１ないし図５は本考案の第１の実施形態を示すもので、これらの図において、符号１０は洗浄器具である。
【００１７】
洗浄器具１０は、柄本体１１と、柄本体１１の先端に設けられたヘッド部１２と、ヘッド部１２の先端に斜め下向きに設けられた複数のノズル部１３と、ヘッド部１２に取り付け金具１４を介して支持された支持部材１５と、支持部材１５により支持された芯部材１６と、芯部材１６に外装された拭き取り体１７とを備えた構成とされている。また、柄本体１１の湾曲部１１ａに対しヘッド部１２がカプラー１８を介して着脱可能かつ首振り可能に連結されている。
【００１８】
柄本体１１は、管状体であって内部に液通路を備え、後端部に把持部１９が設けられると共に、把持部１９の近傍に開閉栓２０が取付けられている。また、柄本体１１の後端にはホース接続部２１を介して可撓性を備える水供給ホース２２が連結可能とされている。開閉栓２０は、その開閉操作により後述する水供給ホース２２からの水の供給と停止を行い、またその間の操作により供給される水量を調整できるようになっており、水供給ホース２２は本実施形態では水道の蛇口に接続されるようになっている。柄本体１１は、先端側に湾曲部１１ａが形成されることによって、ヘッド部１２に対して柄本体１１の把持部１９を斜め上向きの傾斜姿勢に保持できるようになっている。
【００１９】
ヘッド部１２は、左右に延びると共に、内部に柄本体１１の液通路に連通する液通路が設けられている。ヘッド部１２の前面には、斜め下向き複数（図示例では２個）のノズル部１３が取付けられている。各々のノズル部１３には、左右に延在して開口するノズル溝（図示せず）が設けられると共に、ノズル溝の中央に位置してノズル孔１３ａが設けられている。そして、各々のノズル孔１３ａはヘッド部１２内部の液通路と連通している。これにより、水供給ホース２２から供給される水道水Ｗ１がノズル孔１３ａから圧力水Ｗ２となって洗浄面Ｇ（図４参照）に向けて斜めに噴出されるようになっている。
【００２０】
図示例において、各々のノズル部１３のノズル孔１３ａから噴出される圧力水Ｗ２の噴出面における噴出角度は約６５度とされ、また、同圧力水Ｗ２の洗浄面Ｇに対する平均の噴出角度は約３０〜４５度とされる。
【００２１】
図３に示すように、ヘッド部１２のヘッド部基端部１２ａの下面には取付金具１４を介して断面コ字形の支持部材１５が支持されている。この支持部材１５の差込部１５ａにスリット１６ａを挿入する形で芯材１６が支持部材１５に支持されている。支持部材１５に支持された芯材１６は支持部材１５の固定部１５ｂにより固定されている。芯材１６は、軽量なウレタン素材あるいは弾性変形可能なスポンジ素材、ゴム素材等から構成されている。
【００２２】
芯材１６には、袋状の拭き取り体１７をその開口部１７ａから被せて着脱可能に外装するようになっている。芯材１６に外装された拭き取り体１７は、芯材１６により拭取り体としての形状が保持され、図４に示すように、ノズル部１３のノズル孔１３ａから洗浄面Ｇに対し噴出された圧力水Ｗ２の直後に位置し、洗浄面Ｇの洗浄後の汚れを拭き取るようになっている。袋状の拭き取り体１７は布素材等から構成され、繰り返ししようにより拭き取り性能が低下した場合には新品の拭き取り体１７と取り替えできるようになっている。なお、芯材１６と拭き取り体１７は拭き取り部材を構成する。
【００２３】
次に、上記構成の洗浄清掃装置１０について、建物のガラス窓を清掃する場合を例にして、その使用方法を述べる。
【００２４】
まず、図１において、柄本体１１のホース接続部２１に水供給ホース２２を接続する。水供給ホース２２はここでは図示しない水道管の蛇口に接続する。柄本体１１の後端側の把持部１９を手Ｈで把持し、水道管の蛇口を少量開栓するとともに、柄本体１１の開閉栓２０を開栓すると、ヘッド部１２先端の各ノズル孔１３ａから圧力水Ｗ２が一斉にガラス窓のガラス面Ｇに向けて噴出し、ガラス面Ｇ上に浮いた汚れを直後の拭き取り体１７により綺麗に拭き取る。
【００２５】
ヘッド部１２におけるノズル部１３のノズル孔１３ａの直後に拭き取り体１７が配置されるので、各ノズル孔１３ａから噴出される圧力水Ｗ２により遊離したガラス面Ｇ上の汚れを直後の拭き取り体１７によりことごとく綺麗に拭き取ることができる。把持部１９を片手で把持して汚れの洗浄および拭き取り作業を効率よく行うことができる。
【００２６】
図５は、本洗浄器具１０を用いて車両ボディの屋根Ｒを洗浄し汚れを拭き取る例を示している。この場合、図２の側面図において、ヘッド部１２を柄本体１１の湾曲部１１ａに対し１８０度首振りすると、図５に示すようにヘッド部１２の拭き取り体１７が下向きとなるとともに柄本体１１の後端部も斜め下向きの傾斜姿勢となる。そこで、把持部１９を手Ｈで把持してヘッド部１２を車両ボディの屋根Ｒの上方に延ばすことによって、手の届き難い車両ボディの屋根Ｒを効率よく洗浄しかつ屋根Ｒ上の汚れをきれいに拭き取ることができる。
【００２７】
本実施形態の洗浄器具１０によると、以下の効果を奏する。
【００２８】
（１）水道管の蛇口と直結し、水道の圧力を利用して、ノズル孔１３ａから圧力水Ｗ２を洗浄面Ｇに向けて噴出させるので、多量の水道水を撒いていた従来の洗浄作業に比べて、水の使用料が僅かですむ。従って、水道代を大幅に低減することができ、よって洗浄に伴うコストを減らすことができる。
（２）簡易な構造でありながら、水道水を利用して効率よく洗浄および汚れの拭き取り作業を行え、利便性が非常に高い。
（３）柄本体１１に対しヘッド部１２が首振り可能に連結されているので、洗浄および汚れの拭き取り作業の際にヘッド部１２の動きがスムーズとなる。また、柄本体１１の先端部が湾曲部１１ａとされているので、手の届き難い車両の屋根等であってもヘッド部１２をその屋根等に対面させることができて、広範囲に効率よくその作業を行える。
【００２９】
（４）払拭体を構成する芯部材１６と払拭部材１７が屈曲性を備えるので、洗浄面の形状に追随させることができる。例えば、壁面の角部や窓ガラスのサッシ部などの凹凸面をきれいに洗浄し汚れを払拭することができる。
（５）ヘッド部１２と柄本体１１をカプラー１８で切り離すことができるので、本洗浄器具１０を使用しない場合は、コンパクトに畳んで邪魔にならないように収容可能である。
【００３０】
なお、上記実施形態において、柄本体１１、ヘッド部１２はアルミ等の金属部材やプラスチック部材から構成することができる。また、水供給ホース２２は水道管の蛇口に接続したが、ポンプ付きの水タンクに接続してもよい。
【００３１】
図６は、本考案の第２実施形態を示している。本実施形態の洗浄器具１０は、カプラー１８によりヘッド部１２から柄本体１１側を切り離し、その中間に延長管２３を連結できるように構成されている。延長管２３のヘッド部１２側には連結部２３ａが設けられ、延長管２３の柄本体１１側にはカプラー２４が設けられている。そこで、延長管２３の連結部２３ａをヘッド部１２側のカプラー１８に、延長管２３側のカプラー２４に柄本体１１側の連結部１８ａをそれぞれ連結することにより、柄本体１１の長さ、すなわち把持部１９からヘッド部１２までの長さを延長することができる。これにより、図４のガラス面Ｇや図５の車両ボディの屋根Ｒにおいて、図２の洗浄器具１０では、ヘッド部１２の届かない位置までヘッド部１２を延ばすことができ、広範囲に洗浄および汚れの拭き取り作業を行うことができる。
【００３２】
以上説明してきたように、本考案の洗浄器具は、広範囲の洗浄面を少量の水でもって効率よく洗浄および汚れの拭き取り作業を行うことができて、極めて利便性に優れている。また、構造も簡素であり、安価な製作費用でもって提供することができる。
【産業上の利用可能性】
【００３３】
本考案に係る洗浄器具は、車両、ガラス窓、屋外器具、建物壁面等を洗浄し汚れを拭き取る洗浄器具として、幅広く利用可能である。
【符号の説明】
【００３４】
１０  洗浄器具
１１  柄本体
１１ａ  湾曲部
１２  ヘッド部
１２ａ  ヘッド基端部
１３  ノズル部
１３ａ  ノズル孔
１４  取り付け金具
１５  支持部材
１５ａ  差込部
１５ｂ  固定部
１６  芯材
１６ａ  スリット
１７  払拭部材
１７ａ  開口部
１８，２４  カプラー
１８ａ，２３ａ  連結部
１９  把持部
２０  開閉栓
２１  ホース接続部
２２  水供給ホース（水供給管）
２３  延長管
Ｇ  ガラス面（洗浄面）
Ｒ  屋根（洗浄面）
Ｗ１  供給水
Ｗ２  圧力水
【図１】
0003158914.tif 000003
【図２】
0003158914.tif 000004
【図３】
0003158914.tif 000005
【図４】
0003158914.tif 000006
【図５】
0003158914.tif 000007
【図６】
0003158914.tif 000008